【手続補正書】
【提出日】平成18年10月30日(2006.10.30)
【手続補正１】
【補正対象書類名】明細書
【補正対象項目名】特許請求の範囲
【補正方法】変更
【補正の内容】
【特許請求の範囲】
【請求項１】  円筒状の光ファイバコネクタシステムであって、円筒状のコネクタ本体と、該コネクタ本体に収容され、矩形状の光ファイバ口金が取りつけられている円筒状の光ファイバコンタクトとを有し、該円筒状の光ファイバコンタクトは円筒状の保持挿入部材によって該コネクタ本体に保持されており、そして少なくとも１つのシール部材が該保持挿入部材と該円筒状のコネクタ本体との間に配置されている円筒状の光ファイバコネクタシステム。
【請求項２】  さらに該コネクタ本体に取り付けられている結合ナットを有する請求項１記載の円筒状の光ファイバコネクタシステム。
【請求項３】  該結合ナットが振動防止機構を有する請求項２記載の円筒状の光ファイバコネクタシステム。
【請求項４】  該少なくとも１つのシール部材が、該保持挿入部材と該コネクタ本体との間に配置されたＯ−リングと、後部シールガスケットとを含む請求項１記載の円筒状の光ファイバコネクタシステム。
【請求項５】  後部シールガスケットが、該保持挿入部材のフランジに嵌合するように配置された環状の溝を有する請求項１記載の円筒状の光ファイバコネクタシステム。
【請求項６】  該保持挿入部材が、該保持挿入部材のアンダーカット及び該コネクタ本体に着座するクリップによって該コネクタ本体に保持されている請求項１記載の円筒状の光ファイバコネクタシステム。
【請求項７】  該円筒状の光ファイバコンタクトが前方部にカラーを有し、該光ファイバコンタクトが、該コネクタ本体の肩部と該カラーの前方表面との係合及び該保持挿入部材の前方表面と該カラーの後方表面との係合によって該コネクタ本体に保持されている請求項１記載の円筒状の光ファイバコネクタシステム。
【請求項８】  該コネクタ本体がさらに、該口金の嵌合部を受納するための通路及び円筒状のコネクタ本体が嵌合されるべきコネクタに収納されている係合する口金を有するように配置されており、該通路は該両口金の該係合部を整列せしめる役割を果たしている、請求項１記載の円筒状の光ファイバコネクタシステム。
【請求項９】  該光ファイバコンタクトが、該口金と、該ファイバを包含し該口金から延びている光ファイバケーブルの部分とをその間に取り付けられるように配置された２つのコンタクトハウジングメンバを有する請求項１記載の円筒状の光ファイバコネクタシステム。
【請求項１０】  さらに、該２つのコンタクトハウジングメンバを互いに固定するように配置されたスリーブ部材を有する請求項９記載の円筒状の光ファイバコネクタシステム。
【請求項１１】  該円筒状の光ファイバコンタクトが第１のカラーと第２のカラー、及び、第１のカラーと第２のカラーの間に配置されたスプリングと可動カラーを有し、さらに、コネクタ本体に対して円筒状の光ファイバコンタクトの軸方向の運動を許容しつつ、該円筒状の光ファイバコンタクトを該コネクタ本体に保持するために該保持挿入部材は該可動カラーと係合し、そして該スプリングは該円筒状の光ファイバコンタクトを前方に付勢する請求項１記載の円筒状の光ファイバコネクタシステム。
【請求項１２】  該ケーブルが光ファイバリボンケーブルである請求項１記載の円筒状の光ファイバコネクタシステム。
【請求項１３】  該光ファイバ口金がＭＴ口金である請求項１記載の円筒状の光ファイバコネクタシステム。
【請求項１４】  円筒状の光ファイバコネクタシステムであって、円筒状のコネクタ本体と、該コネクタ本体に収容され、第１の矩形状の光ファイバコネクタが取り付けられている円筒状の光ファイバコンタクトを有し、そして該コネクタ本体は該円筒状の光ファイバコンタクトが受納されかつ配置されている第１の通路、及び、第１の矩形状の光ファイバコネクタの係合する部分を受納するために該第１の通路と連絡している第２の通路を有し、該第２の通路はさらに係合するコネクタに配置された第２の光ファイバコネクタの係合する部分を受納するように配置されており、また、第２の通路はそれによって第１と第２の光ファイバコネクタを整列せしめるものである、円筒状の光ファイバコネクタシステム。
【請求項１５】  さらに該円筒状のコネクタ本体に取り付けられている結合ナットを有する請求項１４記載の円筒状の光ファイバコネクタシステム。
【請求項１６】  該結合ナットが振動防止機構を有する請求項１４記載の円筒状の光ファイバコネクタシステム。
【請求項１７】  該少なくとも１つのシール部材が、該保持挿入部材と該コネクタ本体との間に存在するＯ−リングと、後部シールガスケットとを含む請求項１４記載の円筒状の光ファイバコネクタシステム。
【請求項１８】  後部シールガスケットが該保持挿入部材のフランジに係合するように配置された環状の溝を有する請求項１４記載の円筒状の光ファイバコネクタシステム。
【請求項１９】  該保持挿入部材が、該保持挿入部材のアンダーカット及び該コネクタ本体に着座するクリップによって該コネクタ本体に保持されている請求項１４記載の円筒状の光ファイバコネクタシステム。
【請求項２０】  該円筒状の光ファイバコンタクトが前方部にカラーを有し、該光ファイバコンタクトが、該コネクタ本体の肩部と該カラーの前方表面との係合及び該保持挿入部材の前方表面と該カラーの後方表面の係合によって該コネクタ本体に保持されている請求項１４記載の円筒状の光ファイバコネクタシステム。
【請求項２１】  該光ファイバコンタクトが、該口金と、該ファイバを包含し該口金から延びている光ファイバケーブルの部分とをその間に取り付けられるように配置された２つのコンタクトハウジングメンバを有する請求項１４記載の円筒状の光ファイバコネクタシステム。
【請求項２２】  さらに、該２つのコンタクトハウジングメンバを互いに固定するように配置されたスリーブ部材を有する請求項２１記載の円筒状の光ファイバコネクタシステム。
【請求項２３】  該円筒状の光ファイバコンタクトが第１のカラーと第２のカラー及び、第１のカラーと第２のカラーの間に配置されたスプリングと可動カラーを有し、さらに、コネクタ本体に対して円筒状の光ファイバコンタクトの軸方向の運動を許容しつつ、該円筒状の光ファイバコンタクトを該コネクタ本体の保持するために該保持挿入部材は該可動カラーと係合し、そして該スプリングは該円筒状の光ファイバコンタクトを前方に付勢する請求項１４記載の円筒状の光ファイバコネクタシステム。
【請求項２４】  該ケーブルが光ファイバリボンケーブルである請求項１４記載の円筒状の光ファイバコネクタシステム。
【請求項２５】  該光ファイバ口金がＭＴ口金である請求項１４記載の円筒状の光ファイバコネクタシステム。
【手続補正２】
【補正対象書類名】明細書
【補正対象項目名】００２３
【補正方法】変更
【補正の内容】
【００２３】
リボンケーブル３が終端している口金２に加えて、光ファイバピンコンタクト１は、クリンプスリーブ９、コンタクト半体１１、１２、及びコンタクト半体１１、１２を一緒に保持するための保持部材１０を含んでいる。コンタクト半体１１、１２の外観の形状は、コンタクト半体１１、１２がそれらの間に取りつけられる口金２とリボンケーブル３とともに組み立てられたときに、結果として得られたピンコンタクト１が以下にさらに詳細に説明するコネクタシェルの円筒状の通路にちょうど適合されるようになっているものであり、そして、コネクタシェルでのピンコンタクト１の保持は、以下にさらに詳細に説明するように、表面２６、４７を有するカラー２０をコネクタシェル肩部２１とコンタクト保持挿入部材２２との間に張りつけることによって達成される。
【手続補正３】
【補正対象書類名】明細書
【補正対象項目名】００２７
【補正方法】変更
【補正の内容】
【００２７】
図１から図３に示されたピンコンタクト１を組み立てるためには、口金２及びジャケット４と強化部材を剥離して露出されたケーブルの部分１３は、コンタクト半体１１、１２の一方に位置され、それからコンタクト半体１１、１２が一緒に結合される。保持部材１０は、コンタクト半体１１、１２が一緒に組み立てられる前にリボンケーブル３のまわりに滑り込ませられ、それから組み立てられたコンタクト半体１１、１２の円筒状の中間表面１４のまわりに嵌合される。図示された態様においては、保持部材１０は、加熱によりコンタクト半体１１、１２を一緒にほぜするような熱収縮性スリーブであるが、当業者であれば、いかなる公知の機械的、接着的あるいはその他の保持手段によっても、コンタクトの半体１１、１２を一体化させうるということを理解されるであろう。ピンコンタクト１の組み立ては、もし使用される場合にはスリーブ２８を、そして、クリンプ口金７のまわりにクリンプスリーブ９を配置し、そして、クリンプスリーブ９と強化部材の露出部５とをクリンプ口金７にかしめることにより、完成する。もしバイアス機構が含まれる場合には、バイアススプリングと、図４−６に関連して説明されるスライド式のバイアスカラーが、スリーブ２８とクリンプスリーブ９の前にピンコンタクトに嵌合されなければならない。
【手続補正４】
【補正対象書類名】明細書
【補正対象項目名】００３２
【補正方法】変更
【補正の内容】
【００３２】
図７から図９に示したように、プラグ１６０は、円筒状のプラグ本体又はシェル１６３を有し、結合ナット１６４がプラグ本体１６３に取りつけられ、図１から図３を参照して説明したタイプのプラグコンタクト（ピンコンタクト）１を受けて保持するための保持挿入部材１６５がプラグ本体１６３内に配置されている。特に、ピンコンタクト１は保持挿入部材１６５によってプラグ本体１６３内に保持されるように配列されており、保持挿入部材１６５は、カラー２０をコネクタシェルの肩部２１に対して取り付けるためにカラー２０の後部表面１６９と係合するように配置された前方表面１６８を有する円筒状の前方部分１６７を有する。
【手続補正５】
【補正対象書類名】明細書
【補正対象項目名】００３３
【補正方法】変更
【補正の内容】
【００３３】
保持挿入部材１６５は、保持クリップ１６６の歯１７１を受けるように配置されたアンダーカット１７０と、Ｏ−リング１７４を受けるように配置されたアンダーカット１７３を有する後方部分１７２と、後部のシーリンググロメット１７７の溝１７６内にはまるように配置されたフランジ１７５とを有し、このようにして、光ファイバ結合における有効な環境シールを提供し、これは、簡便性と効率性の両者について、前述のようなタイプの円筒状の電気的コネクタに現在用いられている環境シールに対応するものである。
【手続補正６】
【補正対象書類名】明細書
【補正対象項目名】００３４
【補正方法】変更
【補正の内容】
【００３４】
円筒状のプラグ本体１６３は、保持クリップ１６６を受けるようなアンダーカット１７８を含み、保持挿入部材１６５及びピンコンタクト１を収容配置するような形状に形成された後部チャンバー１８２と、凹部を設けた前面１８０を有する前方係合部分１７９とを有し、前面１８０には、口金２の前方部分２７及び口金３３の前方部分２を受けて相対的に整列させるための、内部通路、溝、スロット、ガイド路、及び同等物１８０が延びており、そのようにして、両口金の組み合わせを容易にし、組み合わせの間及びその後に適切な適合を確保する。
【手続補正７】
【補正対象書類名】図面
【補正対象項目名】図１
【補正方法】変更
【補正の内容】
【図１】
2000137142.tif 000001
【手続補正８】
【補正対象書類名】図面
【補正対象項目名】図２
【補正方法】変更
【補正の内容】
【図２】
2000137142.tif 000002
【手続補正９】
【補正対象書類名】図面
【補正対象項目名】図３
【補正方法】変更
【補正の内容】
【図３】
2000137142.tif 000003
【手続補正１０】
【補正対象書類名】図面
【補正対象項目名】図７
【補正方法】変更
【補正の内容】
【図７】
2000137142.tif 000004
【手続補正１１】
【補正対象書類名】図面
【補正対象項目名】図９
【補正方法】変更
【補正の内容】
【図９】
2000137142.tif 000005